【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
巻き上げられることが可能なカバー部材（３）、偏向部材（９）、および少なくとも１つの昇降ユニットを備え、 壁の開口部（１１）または窓を覆う巻取装置（１）であって、
前記カバー部材（３）が、上部長手端および下部長手端（５，７）を有し、
前記カバー部材（３）の前記下部長手端（７）が前記偏向部材（９）に連結されるか、または該カバー部材（３）の該下部長手端（７）が該偏向部材（９）を形成し、該カバー部材（３）が、水平軸周りの該偏向部材（９）の回転、または水平軸周りの該下部長手端（７）の回転により、巻き上げられることが可能であり、
前記昇降ユニットが、少なくとも１つのコード（１３,１３’）を有し、該コードの少なくとも１つの自由端（２３，２５）が該昇降ユニットに連結され、該コード（１３,１３’）が、前記カバー部材（３）を囲うように設けられ、前記偏向部材（９）または該カバー部材（３）の前記下部長手端（７）が該コードの屈曲部で案内され、かつ
前記偏向部材（９）または前記カバー部材（３）の前記下部長手端（７）が、前記少なくとも１つのコード（１３,１３’）の動きにより二つの反対回転移動方向に案内されることが可能である、巻取装置。
【請求項２】
請求項１に記載の巻取装置であって、
前記少なくとも１つのコード（１３，１３’）の引き下げまたは引き上げにより、前記上部長手端（５）が、上昇または降下することが可能である、巻取装置。
【請求項３】
請求項１または請求項２に記載の巻取装置であって、
前記昇降ユニットが、シャフト（１９）またはケーブルプルである、巻取装置。
【請求項４】
請求項３に記載の巻取装置であって、
水平軸周りの前記シャフト（１９）の回転、または前記ケーブルプルの水平移動を可能とするドライブユニット（２１）を有する、巻取装置。
【請求項５】
請求項４に記載の巻取装置であって、
前記ドライブユニットがモータ（２１）である、巻取装置。
【請求項６】
請求項１から５のいずれか１項に記載の巻取装置であって、
少なくとも１つの第１コード（１３,１３’）および少なくとも１つの第２コード（３１）を有し、該第１コード（１３,１３’）が、互いに反対方向である２つの移動方向に、前記偏向部材（９）または前記カバー部材（３）の前記下部長手端（７）を案内し、
前記第１コード（１３,１３’）が、前記カバー部材（３）もしくは該カバー部材（３）の前記下部長手端（７）を巻き取るためのものか、または該第１コード（１３,１３’）が、該カバー部材（３）もしくは該カバー部材（３）の該下部長手端（７）を巻き取り、かつ該巻上げられたカバー部材（３）を上昇または下降するためのものであり、かつ
前記第２コード（３１）が、前記カバー部材（３）の前記上部長手端（５）を上昇、または下降するためのものである、巻取装置。
【請求項７】
請求項６に記載の巻取装置であって、
前記第１コード（１３,１３’）の両方の自由端（２３、２５）が前記昇降ユニットに連結され、かつ
前記第２コード（３１）が、その第１自由端を介して前記昇降ユニットに連結され、かつその第２自由端を介して前記カバー部材（３）の前記上部長手端（５）に連結される、巻取装置。
【請求項８】
請求項６に記載の巻取装置であって、
前記第１コード（１３,１３’）が、その第１自由端（２３）を介して前記昇降ユニットに連結され、かつその第２自由端（２５）を介して前記カバー部材（３）の前記上部長手端（５）に連結され、かつ
前記第２コード（３１）が、その第１自由端を介して前記昇降ユニットに連結され、かつその第２自由端を介して前記カバー部材（３）の前記上部長手端（５）に連結される、巻取装置。
【請求項９】
請求項１から８のいずれか１項に記載の巻取装置であって、
前記偏向部材（９）または該カバー部材（３）の前記下部長手端（７）が回転することで、前記カバー部材（３）が、該偏向部材（９）または該カバー部材（３）の該下部長手端（７）上で巻き上げられることが可能である、巻取装置。
【請求項１０】
前記少なくとも１つの第１コード（１３，１３‘）を引き上げること若しくは前記少なくとも１つの第２コード（３１）を引き上げることで、または前記少なくとも１つの第１コード（１３，１３’）及び前記少なくとも１つの第２コード（３１）を引き上げることで、前記カバー部材（３）は上昇可能である、請求項９記載の巻取装置。
【請求項１１】
請求項１から１０のいずれか１項に記載の巻取装置であって、
前記少なくとも１つのコード（１３，１３’）が、前記巻取装置（１）および前記カバー部材（３）のうちの少なくとも一方のための安定化装置として作用する、巻取装置。
【請求項１２】
請求項１から１１のいずれか１項に記載の巻取装置であって、
前記少なくとも１つのコード（１３，１３’）が張力装置（３０，３０’）を介して案内される、巻取装置。
【請求項１３】
該少なくとも１つのコード（１３，１３‘）が該張力装置（３０，３０’）により固定される、請求項１から１２のいずれか１項に記載の巻取装置。
【請求項１４】
請求項１から１３のいずれか１項に記載の巻取装置であって、
前記少なくとも１つのコード（１３，１３’）の長さが、前記カバー部材（３）の高さ（Ｈ）の３倍の長さと完全に繰り出された該カバー部材（３）の前記上部長手端（５）と前記昇降ユニット間の距離（Ｍ）の２倍の長さの和におよそ相当し、または、該少なくとも１つのコード（１３，１３’）の長さが、該カバー部材（３）の高さ（Ｈ）の２倍の長さと該完全に繰り出されたカバー部材（３）の該上部長手端（５）と該昇降ユニット間の距離（Ｍ）の長さの和におよそ相当する、巻取装置。
【請求項１５】
請求項６から１４のいずれか１項に記載の巻取装置であって、
前記少なくとも１つの第２コード（３１）の長さが、前記カバー部材（３）の高さ（Ｈ）と前記完全に繰り出されたカバー部材（３）の前記上部長手端（５）と前記昇降ユニット間の距離（Ｍ）の和におよそ相当する、巻取装置。
【請求項１６】
請求項１から１５のいずれか１項に記載の巻取装置であって、
前記コード（１３，３１）の前記作業ロープ（２７）の長さが、前記完全に繰り出されたカバー部材（３）の高さ（Ｈ）におよそ相当する、巻取装置。
【請求項１７】
請求項１から１６のいずれか１項に記載の巻取装置であって、
前記コード（１３，１３’）が前記カバー部材（３）の前記上部長手端（５）に連結される、巻取装置。
【請求項１８】
巻き上げ可能なカバー部材（３）、偏向部材（９）、および少なくとも１つの昇降ユニットを備え、壁の開口部（１１）または窓を覆う巻取装置（１）を巻き取る方法であり、
前記カバー部材（３）が、上部長手端および下部長手端（５，７）を有し、かつ
前記カバー部材（３）の前記下部長手端（７）が、前記偏向部材（９）に連結されるか、または前記偏向部材（９）を形成し、
前記昇降ユニットが少なくとも１つのコード（１３,１３’）を有し、少なくとも１つの自由端（２３，２５）が該昇降ユニットに連結され、前記偏向部材（９）または前記カバー部材（３）の前記下部長手端（７）が該少なくとも１つのコード（１３,１３’）の屈曲部で案内されるように、該コード（１３,１３’）が前記カバー部材（３）を囲い、該偏向部材（９）または該下部長手端（７）が前記少なくとも１つのコードの動きにより二つの反対移動方向に回転移動可能であり、該偏向部材（９）または該該下部長手端（７）が回転することで、該カバー部材（３）が、該偏向部材（９）または該下部長手端（７）上で巻かれる、方法。
【請求項１９】
請求項１８に記載の方法であって、
前記偏向部材（９）または前記下部長手端（７）が一方の移動方向に回転することで、前記カバー部材（３）が、該偏向部材（９）または該下部長手端（７）上で巻かれ、少なくとも１つのコード（１３、１３‘）を引き上げることで該カバー部材（３）が持ち上げられる、方法。
【請求項２０】
前記請求項１８または１９に記載の方法であって、
前記カバー部材（３）の巻取りかつ繰り出しが、前記偏向部材（９）または該カバー部材（３）の前記下部長手端（７）上のみで行われる、方法。
【請求項２１】
前記請求項１８から２０のいずれか１項に記載の方法であって、
コードを完全に繰り出すか引き下げること、およびシャフトが更に回転するかケーブルプルをさらに引くことで、前記引き下げコード（１３）が、完全に巻き上げられたカバー部材（３）用の引き上げコードに変えられる、方法。
【請求項２２】
前記請求項１８から２１のいずれか１項に記載の方法であって、
前記巻取装置（１）が第２コード（３１）を有し、該第２コード（３１）の前記第１自由端が、前記昇降ユニットに連結され、該第２コード（３１）の前記第２自由端が、前記カバー部材（３）の前記上部長手端（５）に連結され、コードを完全に繰り出すか引き下げること、およびシャフトが更に回転するかケーブルプルをさらに引くことで、前記引き下げコード（１３、３１）が、完全に巻き上げられたカバー部材（３）用の引き上げコードに変えられる、方法。